(57)【要約】【課題】センサーを追加することなく、工作機械の送り軸の異常を判定することができる送り軸の異常判定方法を提供する。【解決手段】制御部３から送られてきた速度指令値と速度偏差から周波数特性演算手段５にて所定の位置における周波数特性Ｇ１を算出する。このとき、適切な予圧が掛かっている初期の状態２５における周波数特性Ｇ０に比べ、サポート軸受の転走面が摩耗して予圧が減少した状態２６の周波数特性Ｇ１は、１０〜２０Ｈｚにおいてゲイン特性の値が増加する。そのため、予め当該部品の初期状態時の周波数特性を記憶している初期状態記憶部２２から送られてくる測定データＧ０と取得した測定データＧ１の差分を演算するゲイン特性変化量演算部２１にてゲイン特性変化量Ｇを算出する。異常判定部２３にて設定されているしきい値Ｇｔｈと比較照合することによって、軸受の摩耗した状態を異常と判定する。【選択図】図３
2018017689.tif 000002
【特許請求の範囲】
【請求項１】
ＮＣ制御された工作機械の送り軸において、前記送り軸の正常状態とした周波数特性の基準値と測定時の周波数特性を比較照合し、前記送り軸の異常を判定することを特徴とする送り軸の異常判定方法。
【請求項２】
ＮＣ制御された工作機械の送り軸において、前記送り軸の正常状態とした周波数特性の基準値と測定時の周波数特性のゲインの差によって、前記送り軸の異常を判定することを特徴とする送り軸の異常判定方法。
【請求項３】
ＮＣ制御された工作機械の送り軸において、特定の周波数に対する応答性と送り軸の軸位置とを関連付けて取得する方法を備え、前記軸位置に関連した応答性の正常状態とする基準値と測定時の応答性のゲインの差によって、前記送り軸の異常の判定することを特徴とする送り軸の異常判定方法。
【発明の詳細な説明】
【技術分野】
【０００１】
本発明は、たとえばボールねじ等の送り軸の回転により移動体をねじ送りして特定位置へ位置決めするねじ送り装置において、送り軸の異常を判定する方法に関する。
【背景技術】
【０００２】
工作機械の稼働における安定した生産体制を実現させるためには、前記機械の異常を検知し、機械の状態を管理者に知らせて事故や不良を未然に防ぐといったことが必要とされ、これまで多くの機械の異常判定方法が提案されている。
送り軸に構成されるボールねじおよびサポート軸受において、特許文献１では、損傷による軸受の回転や摺動を阻害する物理量信号を検知する手段を用いて、この検出結果にエンベロープ分析および周波数分析を行って実測データの周波数スペクトルのレベルを抽出し、その周波数スペクトルごとに設定されたしきい値とそれぞれ比較照合し、異常の有無および異常部位を診断する提案がなされている。特許文献２ではボールねじにおいて前記経年劣化によるリターンチューブの振動を物理量信号にて検知する手段によって、検出値から異常判定手段を用いて異常を検知する提案がなされている。
【先行技術文献】
【特許文献】
【０００３】
【特許文献１】特開２００９−２００９０号公報
【特許文献２】特開２００１−３４９４０７号公報
【発明の概要】
【発明が解決しようとする課題】
【０００４】
しかしながら、特許文献１、特許文献２に係わる送り軸の異常検知方法においては、機械の各軸に追加センサーを設けるコストを必要としており、多軸を有する工作機械においては機械全体のコストが大きくなってしまう。
【０００５】
本発明は、上記提案を鑑みなされたもので、センサーを追加することなく、工作機械の送り軸の異常を判定することができる送り軸の異常判定方法を提供することである。
【課題を解決するための手段】
【０００６】
上記目的を達成するために、本発明のうち請求項１に記載の発明は、ＮＣ制御された工作機械の送り軸において、前記送り軸の正常状態とした周波数特性の基準値と測定時の周波数特性を比較照合し、前記送り軸の異常を判定することを特徴とする。
また、上記目的を達成するために、本発明のうち請求項２に記載の発明は、ＮＣ制御された工作機械の送り軸において、前記送り軸の正常状態とした周波数特性の基準値と測定時の周波数特性のゲインの差によって、前記送り軸の異常を判定することを特徴とする。
また、上記目的を達成するために、本発明のうち請求項３に記載の発明は、ＮＣ制御された工作機械の送り軸において、特定の周波数に対する応答性と送り軸の軸位置とを関連付けて取得する方法を備え、前記軸位置に関連した応答性の正常状態とする基準値と測定時の応答性のゲインの差によって、前記送り軸の異常の判定することを特徴とする。
【発明の効果】
【０００７】
本発明によれば、センサーを追加する必要がないために低コストで、送り軸の異常か否かの判定ができる。
【図面の簡単な説明】
【０００８】
【図１】送り軸と位置制御装置のブロック図である。
【図２】摩耗量とゲイン特性の関係図である。
【図３】第１の実施形態における異常判定方法の手順である。
【図４】第２の実施形態における異常判定方法の手順である。
【図５】周波数特性の例である。
【図６】特定位置におけるボールねじ・軸受の摩耗判定の例である。
【図７】送り軸位置に関する応答性によるボールねじ・軸受の摩耗判定の例である。
【発明を実施するための形態】
【０００９】
以下、本発明の実施形態について説明する。
【００１０】
図１は、本発明を適用する工作機械の送り軸の位置制御装置のブロック図の一例である。位置指令７と位置検出器１５からの現在位置が加算器８に入力され、演算された位置偏差が位置制御器９に入力される。位置制御器９は前記位置偏差に応じた速度指令値を生成する。速度制御器１２は前記速度指令値と現在位置を微分器１３により演算された速度検出値が加算器１１に入力され演算された速度偏差に応じてトルク指令値を生成する。電流制御器１４は、入力されるトルク指令に基づき電流を制御する。電流制御器１４にてトルク指令値に応じた電流をモータ１６に出力し、モータ１６はトルクを出力する。モータ１６から出力されるトルクは継手１７を介してボールねじ２０に伝達され、ボールねじ２０のナットが移動する。位置検出器１５はモータ１６の回転に同期されており、検出した位置をフィードバックしていることにより所定の位置へ制御するクローズド制御がなされている。ボールねじ２０のネジ軸はブラケット１８に組み付けられたサポート軸受１９によって支持されており、ボールねじ２０には予張力が掛けられている。
【００１１】
周波数特性を計測する場合、スイープ信号生成手段２から生成されたスイープ信号が前記速度指令値に加算器１０で加算される。位置検出器１５で検出された現在位置をはじめ、制御中の処理内で使用された情報は、上位コントローラ１で記録、表示が可能である。
【００１２】
次に送り軸の周波数特性によるボールねじ・サポート軸受の摩耗状態の判定方法について述べる。ボールねじやサポート軸受の摩耗によって送り軸の周波数特性に図２のような差が生じる。この関係は機械によって異なるため、予め機械毎に摩耗量と周波数特性の関係を実験的に求めておく必要がある。
【００１３】
前記ブロック図の一例では入力を前記速度指令値と、応答を速度検出値とするオープンループ周波数特性と応答を速度指令値としたクローズドループ周波数特性が取得できる。本発明では前者オープンループ制御における周波数特性を一例として述べるが、これに限ることではない。
【００１４】
第１の実施形態の異常判定方法について述べる。図３には異常判定を行う手順について示している。制御部３から送られてきた速度指令値と速度偏差から周波数特性演算手段５にて所定の位置における周波数特性Ｇ１が算出される。特定の軸位置における周波数系列を軸にとった周波数特性のゲイン特性は図５のようになる。適切な予圧が掛かっている初期の状態２５における周波数特性Ｇ０に比べ、サポート軸受の転走面が摩耗して予圧が減少した状態２６の周波数特性Ｇ１は、１０〜２０Ｈｚにおいてゲイン特性の値が増加する。そのため、予め当該部品の初期状態時の周波数特性（測定データ）を記憶している初期状態記憶部２２から送られてくる測定データＧ０と取得した測定データＧ１の差分を演算するゲイン特性変化量演算部２１にてゲイン特性変化量Ｇが算出されると図６のようになる。異常判定部２３にて設定されているしきい値Ｇｔｈと比較照合することによって、軸受の摩耗した状態を異常と判定することができる。その結果を判定結果記憶部２４に送り、上位コントローラに記憶・表示される。
【００１５】
第２の実施形態の異常判定方法について述べる。図４には異常判定を行う手順について示している。周波数特性演算手段５では特定の周波数のみで加振された速度指令値と速度偏差によって得られた応答は検出器から送られてくる送り軸の位置Ｘに関連付けられる。軸の位置Ｘに関する応答性Ｇ１（Ｘ）は所定の軸範囲内で、一定速度で送り軸の移動体を移動させながら測定し、前記範囲内の応答性Ｇ１（Ｘ）が算出される。予め当該部品の初期状態時の軸の位置Ｘに関する応答性Ｇ０（Ｘ）が記憶されている初期状態記憶部２２からゲイン特性変化量演算部２１に送られ、測定した応答性Ｇ１（Ｘ）との差分をとることにより、軸の位置Ｘにおけるゲイン特性変化量Ｇ（Ｘ）が算出される。これを異常判定部２３にて設定されているしきい値Ｇｔｈ（Ｘ）と比較照合され、比較して大きい場合は異常の判定、小さい場合は正常の判定とされ、その結果を判定結果記憶部２４に送り、上位コントローラに記憶・表示される。
【００１６】
判定結果記録部２４に記録されている判定結果は上位コントローラにて判定結果のみを表示させることに限られる必要はなく、初期状態の演算データＧ０（Ｘ）、ゲイン特性変化量Ｇ（Ｘ）、しきい値Ｇｔｈ（Ｘ）を必要に応じて周波数系列または軸位置系列データとともに判定結果を表示・警告してもよい。
【００１７】
送り軸の位置Ｘに関する応答性Ｇ（Ｘ）の取得には一定速度で移動する送り軸に対して行われるため、離散フーリエ変換による算出する場合には、加振するスイープ波形の少なくとも１周期分の時間信号を必要とされる。そのため、軸の位置それぞれの応答性はある１周期分の移動量で区分される区間毎に計算される。ただし、１周期の移動量に分ける必要はなく１周期以上の移動量毎に測定点を設け、その平均化処理やさいだいちピークホールドにより求めてもよい。並びに、１周期毎の移動量に合わせた応答性を前記移動量の区間前後の応答性と平均化処理した値をその測定点の応答性としてもよい。
【００１８】
これにより、前記測定区間毎の摩耗の異常判定が可能となる。図７（Ａ）はある一部の軸位置範囲２１の応答性における初期状態との差が増加している場合と図７（Ｂ）には軸位置全域において応答性の増加が見られる場合について示している。前者の場合はある範囲の部分のみ摩耗が見られるため、ボールねじにおけるねじ溝の一部範囲のみ摩耗している状態２２である。後者ではサポート軸受の摩耗、またはボールねじにおけるナットのねじ溝の摩耗がしている状態２３が危惧される。
【００１９】
これらのような異常判定が表れた場合、工作機械の管理者がボールねじやサポート軸受が摩耗したことを判断できることにより、また、異常判定された当該軸の範囲以外での動作させることで、加工不良等を少なくすることができる。また定期的にこれらの計測を繰り返すことで、摩耗判定とされる前に当該部品を用意するなどして部品交換にかかる長期間の工作機械の停止を避けることができ、安定した生産体制の運用を実現できる。
【符号の説明】
【００２０】
１・・上位コントローラ、２・・スイープ信号生成手段、３・・制御部、 ４・・アクチュエータ、５・・伝達関数または周波数特性演算手段、６・・異常判定手段、７・・位置指令、８・・加算器、９・・位置制御器、１０・・加算器、１１・・加算器、１２・・速度制御器、１３・・微分器、１４・・電流制御器、１５・・位置検出器、１６・・モータ、１７・・継手、１８・・ブラケット、１９・・サポート軸受、２０・・ボールねじ、２１・・ゲイン特性変化量演算部、２２・・初期状態記録部、２３・・異常判定部、２４・・判定結果記録部、２５・・適切な予圧が掛かっている初期の状態、２６・・サポート軸受が摩耗している状態、２７・・送り軸の軸上の摩耗の異常判定される範囲、２８・・ボールねじのネジ軸の一部範囲が摩耗している状態、２９・・サポート軸受の摩耗やボールねじのナットもしくは玉が摩耗している状態。
【図１】
2018017689.tif 000003
【図２】
2018017689.tif 000004
【図３】
2018017689.tif 000005
【図４】
2018017689.tif 000006
【図５】
2018017689.tif 000007
【図６】
2018017689.tif 000008
【図７】
2018017689.tif 000009